(57)【要約】【課題】移動する読み取り部に接続された接続ケーブルの劣化を抑制する。【解決手段】画像読み取り装置１は、下部筐体２１および上部枠体５１と、上部枠体５１に取り付けられた原稿台５２とを備えており、その内部には、副走査方向ＳＳに往復移動することで原稿台５２に積載された原稿の画像を読み取る読み取りユニット２２が設けられている。また、画像読み取り装置１は、一端側が下部筐体２１に取り付けられ、他端側が読み取りユニット２２に取り付けられるフレキシブル・フラット・ケーブル（ＦＦＣ）と、ＦＦＣと原稿台５２との間に配置される保護フィルムとを有するケーブルユニット２５を、さらに備えている。【選択図】図１
2012108424.tif 000002
【特許請求の範囲】
【請求項１】
上部には原稿を積載する原稿台が設けられ、内部には空間が形成される筐体と、
前記筐体の内部で往復方向に移動するように配置され、前記原稿台に積載された前記原稿の画像を、移動に伴って読み取る読み取り部と、
帯状の形状を有するとともに長手方向に沿って複数の電線が設けられ、長手方向の一端側が前記筐体に取り付けられるとともに他端側が前記読み取り部に取り付けられ、当該筐体の内部において前記原稿台に向かって凸となるように屈曲し、当該読み取り部の移動に伴って屈曲状態が変化する接続ケーブルと、
帯状の形状を有し、前記筐体の内部において前記接続ケーブルに沿い且つ前記原稿台と前記接続ケーブルとの間に位置するように設けられるとともに長手方向の一方の端部が前記読み取り部に取り付けられ、当該原稿台から当該接続ケーブルを保護する保護部材と
を含む画像読み取り装置。
【請求項２】
前記接続ケーブルは、金属にて構成され、前記複数の電線を遮へいする遮へい層をさらに含むことを特徴とする請求項１記載の画像読み取り装置。
【請求項３】
前記接続ケーブルに対し前記保護部材にたるみが生じるように、当該保護部材における長手方向の他方の端部が当該接続ケーブルに取り付けられることを特徴とする請求項１または２記載の画像読み取り装置。
【請求項４】
上部には原稿を積載する原稿台が設けられ、内部には空間が形成される筐体と、
前記筐体の内部で往復方向に移動するように配置され、前記原稿台に積載された前記原稿の画像を、移動に伴って読み取る読み取り部と、
帯状の形状を有するとともに長手方向に沿って複数の電線が設けられ、長手方向の一端側が前記筐体に取り付けられるとともに他端側が前記読み取り部に取り付けられ、当該筐体の内部において前記原稿台に向かって凸となるように屈曲し、当該読み取り部の移動に伴って屈曲状態が変化する接続ケーブルと、
帯状の形状を有し、前記原稿台と前記接続ケーブルにおいて前記凸となる面との間に位置するように長手方向の両端部が当該接続ケーブルに取り付けられ、当該接続ケーブルとともに屈曲する屈曲部材と
を含む画像読み取り装置。
【請求項５】
前記接続ケーブルは、金属にて構成され、前記複数の電線を遮へいする遮へい層をさらに含むことを特徴とする請求項４記載の画像読み取り装置。
【請求項６】
前記接続ケーブルに対し前記屈曲部材にたるみが生じるように、当該屈曲部材における長手方向の両端部を当該接続ケーブルに取り付けることを特徴とする請求項４または５記載の画像読み取り装置。
【発明の詳細な説明】
【技術分野】
【０００１】
本発明は、画像読み取り装置に関する。
【背景技術】
【０００２】
公報記載の従来技術として、本体の上部に配置されていて、コンタクトガラス上に置かれた原稿を結像ユニットを搭載したキャリッジで走査して読み取る手段であって、結像ユニットの読取信号や、キャリッジの駆動電力を本体側との間で授受する媒体としてのフレキシブルケーブルを有し、フレキシブルケーブルの一端は本体側に、他端側はキャリッジにそれぞれ固定されていて、走査に伴ってフレキシブルケーブルがコンタクトガラスと本体との間にてわん曲されつつ移動されるよう構成された画像入力装置において、フレキシブルケーブルのわん曲部がコンタクトガラスに接触するのを防止するために、フレキシブルケーブルの複数個所に固定された軸と、この軸の両端に読取幅より広いスパンで回転自在に取付けられたコロとを設けたものが存在する（特許文献１参照）。
【０００３】
また、他の公報記載の従来技術として、原稿台ガラス上に載置した原稿を、その主走査方向に光学ユニットを往復運動させることにより光走査して画像情報を読み取るための光走査光学系と、光学ユニットと装置本体とを電気的に接続し、光学ユニットへの給電及び制御信号入力を行うためのフレキシブルで帯状の接続ケーブルとを備えた画像読取装置において、接続ケーブルの表面を、原稿台ガラスに対する摩擦係数が低く、柔軟性のある材料で被覆したものが存在する（特許文献２参照）。
【先行技術文献】
【特許文献】
【０００４】
【特許文献１】特開平５−３４８３８号公報
【特許文献２】特開平６−２２１０１号公報
【発明の概要】
【発明が解決しようとする課題】
【０００５】
本発明は、移動する読み取り部に接続された接続ケーブルの劣化を抑制することを目的とする。
【課題を解決するための手段】
【０００６】
請求項１記載の発明は、上部には原稿を積載する原稿台が設けられ、内部には空間が形成される筐体と、前記筐体の内部で往復方向に移動するように配置され、前記原稿台に積載された前記原稿の画像を、移動に伴って読み取る読み取り部と、帯状の形状を有するとともに長手方向に沿って複数の電線が設けられ、長手方向の一端側が前記筐体に取り付けられるとともに他端側が前記読み取り部に取り付けられ、当該筐体の内部において前記原稿台に向かって凸となるように屈曲し、当該読み取り部の移動に伴って屈曲状態が変化する接続ケーブルと、帯状の形状を有し、前記筐体の内部において前記接続ケーブルに沿い且つ前記原稿台と前記接続ケーブルとの間に位置するように設けられるとともに長手方向の一方の端部が前記読み取り部に取り付けられ、当該原稿台から当該接続ケーブルを保護する保護部材とを含む画像読み取り装置である。
【０００７】
請求項２記載の発明は、前記接続ケーブルは、金属にて構成され、前記複数の電線を遮へいする遮へい層をさらに含むことを特徴とする請求項１記載の画像読み取り装置である。
請求項３記載の発明は、前記接続ケーブルに対し前記保護部材にたるみが生じるように、当該保護部材における長手方向の他方の端部が当該接続ケーブルに取り付けられることを特徴とする請求項１または２記載の画像読み取り装置である。
【０００８】
請求項４記載の発明は、上部には原稿を積載する原稿台が設けられ、内部には空間が形成される筐体と、前記筐体の内部で往復方向に移動するように配置され、前記原稿台に積載された前記原稿の画像を、移動に伴って読み取る読み取り部と、帯状の形状を有するとともに長手方向に沿って複数の電線が設けられ、長手方向の一端側が前記筐体に取り付けられるとともに他端側が前記読み取り部に取り付けられ、当該筐体の内部において前記原稿台に向かって凸となるように屈曲し、当該読み取り部の移動に伴って屈曲状態が変化する接続ケーブルと、帯状の形状を有し、前記原稿台と前記接続ケーブルにおいて前記凸となる面との間に位置するように長手方向の両端部が当該接続ケーブルに取り付けられ、当該接続ケーブルとともに屈曲する屈曲部材とを含む画像読み取り装置である。
【０００９】
請求項５記載の発明は、前記接続ケーブルは、金属にて構成され、前記複数の電線を遮へいする遮へい層をさらに含むことを特徴とする請求項４記載の画像読み取り装置である。
請求項６記載の発明は、前記接続ケーブルに対し前記屈曲部材にたるみが生じるように、当該屈曲部材における長手方向の両端部を当該接続ケーブルに取り付けることを特徴とする請求項４または５記載の画像読み取り装置である。
【発明の効果】
【００１０】
請求項１記載の発明によれば、本構成を有していない場合と比較して、移動する読み取り部に接続された接続ケーブルの劣化を抑制することができる。
請求項２記載の発明によれば、本構成を有していない場合と比較して、接続ケーブルにおける電磁障害の発生を抑制することができる。
請求項３記載の発明によれば、本構成を有していない場合と比較して、移動する読み取り部に接続された接続ケーブルの劣化をさらに抑制することができる。
請求項４記載の発明によれば、本構成を有していない場合と比較して、移動する読み取り部に接続された接続ケーブルの劣化を抑制することができる。
請求項５記載の発明によれば、本構成を有していない場合と比較して、接続ケーブルにおける電磁障害の発生を抑制することができる。
請求項６記載の発明によれば、本構成を有していない場合と比較して、移動する読み取り部に接続された接続ケーブルの劣化をさらに抑制することができる。
【図面の簡単な説明】
【００１１】
【図１】本発明の実施の形態における画像読み取り装置の構成の一例を示す側面図である。
【図２】読み取りユニットに設けられる読み取り光学系の構成の一例を示した図である。
【図３】ケーブルユニットの構成の一例を示した図である。
【図４】フレキシブル・フラット・ケーブル（ＦＦＣ）の断面構成の一例を示した図である。
【図５】読み取り部の構成の一例を示す斜視図である。
【図６】読み取りユニットに設けられた下部筐体に対する、ケーブルユニットの一端側の取り付けを説明するための図である。
【図７】読み取り部に設けられた読み取りユニットに対する、ケーブルユニットの他端側の取り付けを説明するための斜視図である。
【図８】読み取り部に設けられた読み取りユニットに対する、ケーブルユニットの他端側の取り付けを説明するための側面図である。
【図９】読み取り動作におけるケーブルユニットの挙動を説明するための図である。
【発明を実施するための形態】
【００１２】
以下、添付図面を参照して、本発明の実施の形態について詳細に説明する。
図１は、本実施の形態が適用される画像読み取り装置１の構成の一例を示す側面図である。なお、図１は、画像読み取り装置１をフロント側からみた図である。
この画像読み取り装置１は、固定された原稿の画像を読み取るための機構が設けられた本体部１０と、本体部１０に対して開閉自在に取り付けられ、閉じられた際に本体部１０に原稿を固定する原稿固定部材６０とを備える。また、本体部１０は、原稿の画像を読み取る読み取り部２０と、原稿を積載する原稿積載部５０とを有している。
【００１３】
これらのうち、読み取り部２０は、底面および壁面を有し図中上方に向かう部位に開口が形成された下部筐体２１と、下部筐体２１の内側に配置される読み取りユニット２２と、下部筐体２１の内側において読み取りユニット２２を副走査方向ＳＳおよびその逆方向に案内するガイドシャフト２３と、読み取りユニット２２をガイドシャフト２３に沿って移動させる駆動モータ２４とを備えている。また、読み取り部２０は、一端側が下部筐体２１に取り付けられるとともに他端側が読み取りユニット２２に取り付けられ、読み取りユニット２２との間で電力や信号のやりとりを行うケーブルユニット２５とを備えている。ここで、読み取り部の一例としての読み取りユニット２２の副走査方向ＳＳの下流側端部には、読み取りユニット２２に設けられる受光側基板３６ｂ（詳細は後述する）が位置している。そして、読み取り部２０において、読み取りユニット２２は、通常、図１に示す基準位置Ｐ１に位置しており、原稿の読み取り動作に伴って副走査方向ＳＳに向けて移動することで副走査方向ＳＳの最下流側となる終了位置Ｐ２に到達し、その後基準位置Ｐ１まで戻る。なお、以下の説明においては、図中手前側から奥側に向かう方向を主走査方向ＦＳと呼ぶ。
【００１４】
一方、原稿積載部５０は、額縁状の形状を有し、下部筐体２１に設けられた開口に対峙して取り付けられることで、下部筐体２１とともに筐体を構成する上部枠体５１と、上部枠体５１の中央部に取り付けられるとともに原稿の積載に用いられる原稿台５２とを有している。原稿台５２は、可視光に対する光透過性を有するガラス材で構成されており、読み取り部２０に設けられた読み取りユニット２２の移動範囲をカバーするように配置されている。
【００１５】
図２は、読み取りユニット２２に設けられる読み取り光学系３０の構成の一例を示す図である。
この読み取り光学系３０は、可視光を発光する発光部３１と、発光部３１から出力される光を原稿台５２側および後述する反射体３３に導く導光体３２と、発光部３１から導光体３２を介して出力された光の一部を、原稿台５２側に向けて反射する反射体３３とを備えている。また、読み取り光学系３０は、発光部３１から出力され、原稿台５２を介して原稿Ｍに照射され、この原稿Ｍから反射して原稿台５２を通過した反射光を、順次反射する第１ミラー３４ａ、第２ミラー３４ｂ、第３ミラー３４ｃ、第４ミラー３４ｄおよび第５ミラー３４ｅを備えている。さらに、読み取り光学系３０は、第５ミラー３４ｅにて反射された光を集光するレンズ３５と、レンズ３５にて集光されることで結像された光を受光する受光部３６とを備えている。本実施の形態の読み取り光学系３０では、原稿Ｍからの反射光の経路を交差させる所謂折り畳み光学系を用いることで、読み取りユニット２２の小型化を図っている。
【００１６】
発光部３１は、複数の発光素子（例えばＬＥＤ（Light Emitting Diode））を主走査方向ＦＳに並べて配置した発光素子列３１ａと、発光素子列３１ａが実装されるとともに読み取りユニット２２に固定される発光側基板３１ｂとを有する。
【００１７】
また、受光部３６は、複数の受光素子を主走査方向ＦＳに並べて配置した受光素子列（例えばＣＣＤ（Charge Coupled Device）イメージセンサ）３６ａと、受光素子列３６ａが実装されるとともに読み取りユニット２２に固定される受光側基板３６ｂとを有する。この受光側基板３６ｂは、図１にも示したように、読み取りユニット２２における副走査方向ＳＳの下流側端部に位置している。
【００１８】
図３は、ケーブルユニット２５の構成の一例を示した図である。ここで、図３（ａ）はケーブルユニット２５の側面図を示しており、図３（ｂ）は図３（ａ）に示すＩＩＩＢ方向からみたケーブルユニット２５の上面図を示している。
【００１９】
このケーブルユニット２５は、複数の信号線を並べて配置するとともに各信号線を絶縁することで帯状に形成された接続ケーブルの一例としてのフレキシブル・フラット・ケーブル（Flexible Flat Cable：以下ではＦＦＣと称する）２５ａと、ＦＦＣ２５ａの一端側に取り付けられて外部との電気的な接続に用いられる第１コネクタ２５ｂと、ＦＦＣ２５ａの他端側に取り付けられて読み取りユニット２２との電気的な接続に用いられる第２コネクタ２５ｃとを備えている。また、ケーブルユニット２５は、帯状の形状を有し、ＦＦＣ２５ａの一方の面に対向して配置される保護フィルム２５ｄと、保護フィルム２５ｄの長手方向の一端側と他端側とをＦＦＣ２５ａの一方の面に接着する２つの両面テープ２５ｅとをさらに備えている。
【００２０】
ケーブルユニット２５において、保護部材あるいは屈曲部材の一例としての保護フィルム２５ｄは、ＦＦＣ２５ａにおいて第２コネクタ２５ｃが取り付けられる側に偏倚して配置されている。また、ケーブルユニット２５では、両面テープ２５ｅを用いてＦＦＣ２５ａに保護フィルム２５ｄを取り付けた状態で、保護フィルム２５ｄにたるみ（湾曲）が生じるようになっている。さらに、ケーブルユニット２５において、保護フィルム２５ｄの幅はＦＦＣ２５ａの幅よりも大きく設定されており、保護フィルム２５ｄの幅方向両端の位置がＦＦＣ２５ａの幅方向両端の位置よりも外側となるように、ＦＦＣ２５ａに対する保護フィルム２５ｄの取り付けがなされている。そして、本実施の形態において、保護フィルム２５ｄとしては、例えばポリエチレン・テレフタレート（ＰＥＴ）からなり、その厚さが１８８μｍに設定されたフィルム材料（東レ社製ルミラー）を用いている。ただし、これに限られるものではなく、保護フィルム２５ｄとしてポリ・カーボネート（ＰＣ）等を用いてもかまわない。
【００２１】
図４は、図３（ａ）におけるＩＶ−ＩＶ断面図すなわちＦＦＣ２５ａの断面構成の一例を示した図である。
本実施の形態で用いたＦＦＣ２５ａは、表面および裏面を有するケーブル本体２５１と、ケーブル本体２５１の表面側および裏面側にそれぞれ積層される遮へい層２５２と、各遮へい層２５２にそれぞれ積層される保護層２５３とを有している。ここで、各遮へい層２５２は、ケーブル本体２５１の表裏面にそれぞれ接着されており、各保護層２５３は、各遮へい層２５２にそれぞれ接着されている。また、ケーブル本体２５１は、並べて配置された複数の電線の一例としての複数の信号線２５１１と、複数の信号線２５１１を相互に絶縁する絶縁層２５１２とを有している。そして、絶縁層２５１２は、絶縁性を有し複数の信号線２５１１の周囲に形成される接着剤層２５１２ａと、接着剤層２５１２ａの表面側および裏面側にそれぞれ積層されるフィルム層２５１２ｂとを備えている。
【００２２】
これらのうち、複数の信号線２５１１は例えば銅で構成され、フィルム層２５１２ｂおよび保護層２５３は例えばＰＥＴで構成され、遮へい層２５２は例えばアルミニウムで構成されている。このように、本実施の形態のＦＦＣ２５ａには、遮へい層２５２を用いて、電磁妨害（ＥＭＩ：Electro Magnetic Interference）を抑制するためのシールド加工が施されている。
【００２３】
図５は、読み取り部２０の構成の一例を示す斜視図である。また、図６は、読み取りユニット２２に設けられた下部筐体２１に対する、ケーブルユニット２５の一端側（第１コネクタ２５ｂ側）の取り付けを説明するための図である。さらに、図７は、読み取り部２０に設けられた読み取りユニット２２に対する、ケーブルユニット２５の他端側（第２コネクタ２５ｃ側）の取り付けを説明するための斜視図である。さらにまた、図８は、読み取り部２０に設けられた読み取りユニット２２に対する、ケーブルユニット２５の他端側（第２コネクタ２５ｃ側）の取り付けを説明するための側面図である。なお、図１におけるフロント側は、図５における奥側に対応している。したがって、図５に示す読み取りユニット２２は、図１に示す基準位置Ｐ１に位置していることになる。そして、図６〜図８は、読み取り部２０を、それぞれ図１におけるフロント側からみたものに対応している。
【００２４】
本実施の形態において、ガイドシャフト２３は、下部筐体２１の内部且つリア側（図５においては手前側）に、副走査方向ＳＳに沿って配置されており、その両端が下部筐体２１に固定されている。また、下部筐体２１の内部且つガイドシャフト２３よりもリア側であって、副走査方向ＳＳの下流側に、駆動モータ２４が取り付けられている。そして、下部筐体２１のリア側且つ外側の端面には、画像読み取り装置１と外部に設けられた機器とを電気的に接続するためのインタフェース部２６が取り付けられている。
【００２５】
また、ケーブルユニット２５は、下部筐体２１の内部且つフロント側（図５においては奥側）に、副走査方向ＳＳに沿って配置されている。そして、ケーブルユニット２５に設けられた第１コネクタ２５ｂは、下部筐体２１の内部且つフロント側であって、副走査方向ＳＳの下流側端部に配置されている。これに対し、ケーブルユニット２５に設けられた第２コネクタ２５ｃは、下部筐体２１の内側に配置された読み取りユニット２２のフロント側且つ副走査方向ＳＳの下流側に取り付けられている。なお、第１コネクタ２５ｂは、図示しない接続機構等を介して、インタフェース部２６と電気的に接続される。
【００２６】
さらに、読み取りユニット２２は、図２に示す読み取り光学系３０を内蔵し、フロント側における副走査方向ＳＳの下流側に切欠部４１ａが形成されたユニット本体４１を有している。そして、読み取りユニット２２において、ユニット本体４１に設けられた切欠部４１ａからみて副走査方向ＳＳの下流側には、読み取り光学系３０に設けられた受光側基板３６ｂの一部が、リア側からフロント側に向かい突出して配置されている。
【００２７】
読み取り部２０において、ケーブルユニット２５を構成するＦＦＣ２５ａは、長手方向中央部にて折り曲げられてた折り曲げ部を有している。そして、保護フィルム２５ｄは、ＦＦＣ２５ａに対し、折り曲げ部から第１コネクタ２５ｂ側に向かう部位には取り付けられておらず、折り曲げ部から第２コネクタ２５ｃに向かう部位に取り付けられている。
【００２８】
また、ＦＦＣ２５ａのうち、折り曲げ部から第１コネクタ２５ｂ側に向かう部位は、下部筐体２１の底面に沿って副走査方向ＳＳに向かった後、下部筐体２１の内部且つ副走査方向ＳＳの下流側端部において、上方に向けてＳ字状に湾曲して配置されている。そして、ＦＦＣ２５ａにおける第１コネクタ２５ｂ側の端部は、下部筐体２１のフロント側の内壁面から下部筐体２１内に向け突出して形成された保持部２１ａによって保持されることで、下部筐体２１に固定される。これにより、第１コネクタ２５ｂは、接続端子の形成面が副走査方向ＳＳの下流側を向いている。なお、ＦＦＣ２５ａに設けられた折り曲げ部は、図示しない留め具によって下部筐体２１の底面に固定されている。
【００２９】
一方、ＦＦＣ２５ａのうち、折り曲げ部から第２コネクタ２５ｃに向かう部位は、下部筐体２１の底面に沿って副走査方向ＳＳに向かった後、Ｕ字状に湾曲して上方且つ副走査方向ＳＳとは逆方向に向かい、Ｓ字状に湾曲しつつ読み取りユニット２２に設けられた受光側基板３６ｂの下方を通過し、その後さらにＵ字状に湾曲して上方且つ副走査方向ＳＳに向かうように配置される。そして、このＳ字状の湾曲部位において、ＦＦＣ２５ａの上方を向く面（画像読み取り装置１を構成した場合に原稿台５２（図１参照）と対向する側の面）に、保護フィルム２５ｄが取り付けられている。なお、ＦＦＣ２５ａおよび保護フィルム２５ｄによって形成されるこのＳ字状の湾曲部位は、読み取りユニット２２が副走査方向ＳＳまたはその逆方向に移動する際に変形する。ＦＦＣ２５ａにおける第２コネクタ２５ｃ側の端部は、Ｕ字状の湾曲部位の手前で、ユニット本体４１における切欠部４１ａの内壁面から下部筐体２１のフロント側の内壁面に向け突出して形成された固定部４１ｂによって挟み込まれることで、読み取りユニット２２に固定される。そして、第２コネクタ２５ｃは、読み取りユニット２２に取り付けられた受光側基板３６ｂにおいて、副走査方向ＳＳの上流側に位置する面に形成されたコネクタに接続されている。なお、固定部４１ｂの内部には、例えばフェライト等からなるコアが、ＦＦＣ２５ａを囲むように取り付けられている。
【００３０】
本実施の形態では、ＦＦＣ２５ａのうち、折り曲げ部から第１コネクタ２５ｂ側に向かう部位が下部筐体２１に固定されているのに対し、折り曲げ部から第２コネクタ２５ｃ側に向かう部位は、下部筐体２１に対する読み取りユニット２２の移動に伴って移動する際にその一部が変形するようになっている。そこで、以下の説明においては、ＦＦＣ２５ａのうち、折り曲げ部から第１コネクタ２５ｂ側に向かう部位を固定部位と呼び、折り曲げ部から第２コネクタ２５ｃ側に向かう部位を可動部位と呼ぶことにする。
【００３１】
また、固定部４１ｂには、ＦＦＣ２５ａとともに、保護フィルム２５ｄにおける第２コネクタ２５ｃ側の端部（図３において左側となる両面テープ２５ｅの貼り付け部位）も挟み込まれるようになっている。したがって、固定部４１ｂからみて副走査方向ＳＳの下流側には、ＦＦＣ２５ａおよび保護フィルム２５ｄが存在する一方、固定部４１ｂからみて副走査方向ＳＳの上流側には、ＦＦＣ２５ａのみが存在していることになる。これに対し、保護フィルム２５ｄにおける第１コネクタ２５ｂ側の端部は、両面テープ２５ｅによってＦＦＣ２５ａの可動部位に取り付けられるものの、特に他の部材による固定は行われていない。
【００３２】
では、図１に示す画像読み取り装置１による原稿Ｍ（図２参照）の読み取り動作について説明する。
画像読み取り装置１に設けられた原稿固定部材６０が開けられ、本体部１０の原稿積載部５０に設けられた原稿台５２上に原稿Ｍがセットされた後、原稿固定部材６０が閉じられる。その後、読み取り開始の指示を受け付けることで、原稿Ｍの読み取り動作が開始される。
【００３３】
読み取り動作の開始に伴い、読み取りユニット２２には、ケーブルユニット２５に設けられたＦＦＣ２５ａ等を介して、発光部３１に設けられた発光素子列３１ａを発光させるための電力が供給される。また、読み取り動作の開始に伴って駆動モータ２４が回転を開始し、基準位置Ｐ１から終了位置Ｐ２に向かい、副走査方向ＳＳに沿って読み取りユニット２２が移動していく。
【００３４】
この間、読み取りユニット２２に設けられた発光部３１から出力される光は、導光体３２を通って直接あるいは反射体３３を介して原稿台５２上の原稿Ｍに照射される。そして、原稿Ｍからの反射光が、第１ミラー３４ａ〜第５ミラー３４ｅおよびレンズ３５を介して、受光素子列３６ａに結像される。受光素子列３６ａは、上述したように主走査方向ＦＳに沿って伸びる１次元のセンサ群で構成されており、副走査方向ＳＳの１ライン毎に、主走査方向ＦＳの１ライン分の受光データを出力する。
【００３５】
このため、読み取りユニット２２が基準位置Ｐ１を出発して終了位置Ｐ２に到達するまでの間、予め決められた周期を単位として、受光素子列３６ａが主走査方向ＦＳの１ライン分の受光データを順次出力することにより、原稿Ｍ１枚分の読み取りデータが得られる。そして、受光素子列３６ａから出力される読み取りデータは、受光側基板３６ｂを介してケーブルユニット２５に設けられたＦＦＣ２５ａに伝達され、ＦＦＣ２５ａからさらに図示しない接続機構およびインタフェース部２６を介して外部の機器に伝達される。ここで、本実施の形態のＦＦＣ２５ａには遮へい層２５２が設けられていることから、ＦＦＣ２５ａの外部で発生したノイズが信号線２５１１にて伝送される信号に重畳されにくくなっており、また、ＦＦＣ２５ａの内部に設けられた信号線２５１１で発生したノイズが外部に放出されにくくなっている。
【００３６】
図９は、上述した読み取り動作におけるケーブルユニット２５の挙動を説明するための図である。なお、図９には、ケーブルユニット２５のうち、ＦＦＣ２５ａの可動部位およびＦＦＣ２５ａの可動部位に取り付けられた保護フィルム２５ｄを、抜き出して示している。
【００３７】
読み取りユニット２２が基準位置Ｐ１に配置された状態において、ＦＦＣ２５ａの可動部位には湾曲が生じており、ＦＦＣ２５ａの可動部位は、自身が有する弾性により、上方すなわち原稿台５２の形成部位に向かって突出しようとしている。本実施の形態では、ＦＦＣ２５ａの他端側を、読み取りユニット２２に設けられた受光側基板３６ｂの下方を通るように引き回している。このため、ＦＦＣ２５ａの他端側を、受光側基板３６ｂの上方を通るように引き回す場合に比べて、ＦＦＣ２５ａの可動部位における湾曲半径が小さくなりやすく、ＦＦＣ２５ａの可動部位を上方に向けて突出させようとする力が大きくなりやすい。
【００３８】
ここで、本実施の形態では、ＦＦＣ２５ａの可動部位の上方に保護フィルム２５ｄを配置しているため、原稿台５２の下面に対し、ＦＦＣ２５ａではなく、保護フィルム２５ｄが接触する。また、本実施の形態では、図３を用いて説明したように、ＦＦＣ２５ａと保護フィルム２５ｄとを、保護フィルム２５ｄの長手方向両端部を除いて密着させないようにしており、保護フィルム２５ｄにたるみが生じるようにＦＦＣ２５ａへの取り付けを行っている。このため、読み取りユニット２２が基準位置Ｐ１に配置され、ＦＦＣ２５ａによって保護フィルム２５ｄが原稿台５２に接触した状態で、ＦＦＣ２５ａと保護フィルム２５ｄとの間には、一部に隙間が形成される。
【００３９】
次に、読み取り動作の開始に伴い、読み取りユニット２２が、基準位置Ｐ１から終了位置Ｐ２に向かい、副走査方向ＳＳに沿って移動を開始する。このとき、ＦＦＣ２５ａの固定部位は下部筐体２１に固定されているのに対し、ＦＦＣ２５ａの可動部位は、読み取りユニット２２によって押されることにより、徐々に変形していく。より具体的に説明すると、ＦＦＣ２５ａの可動部位は、読み取りユニット２２の副走査方向ＳＳへの移動に伴い、ＦＦＣ２５ａの折り曲げ部を支点として、ＦＦＣ２５ａの固定部位に順次重なっていくように変形する。
【００４０】
読み取りユニット２２が基準位置Ｐ１から副走査方向ＳＳに移動し始めてから、基準位置Ｐ１および終了位置Ｐ２の中央部に到達するまでの間、ＦＦＣ２５ａの可動部位には、上方に向けて突出させようとする力がかかり続ける。したがって、この間は、ＦＦＣ２５ａの可動部位によって押された保護フィルム２５ｄが、接触部位をずらしながら原稿台５２に接触し続ける。また、保護フィルム２５ｄの第１コネクタ２５ｂ側の端部（一端側）がＦＦＣ２５ａに貼り付けられていることから、保護フィルム２５ｄの一端側は、読み取りユニット２２の移動に伴い、ＦＦＣ２５ａの可動部位とともにＦＦＣ２５ａの固定部位に順次重なっていく。そして、この間、原稿台５２と接触する保護フィルム２５ｄには、これら両者の間に働く摩擦力により、副走査方向ＳＳとは逆方向に向かう力がかかる。
【００４１】
ここで、保護フィルム２５ｄを設けないケーブルユニット２５を用いた場合には、ＦＦＣ２５ａの可動部位が、原稿台５２に直に接触することになる。そして、この状態で読み取りユニット２２を副走査方向ＳＳに沿って移動させると、原稿台５２と接触するＦＦＣ２５ａの可動部位に、これら両者の間に働く摩擦力により、副走査方向ＳＳとは逆方向に向かう力がかかることになる。
【００４２】
ＦＦＣ２５ａの可動部位にかかる力は、結果として、読み取りユニット２２のユニット本体４１に設けられた固定部４１ｂによる固定位置にかかる。すると、この部位においてＦＦＣ２５ａにしわが生じたり、この部位において信号線２５１１の断線が生じたりする懸念がある。特に、本実施の形態のように、ＦＦＣ２５ａが金属箔で構成された遮へい層２５２を有している場合には、この部位においてしわが発生しやすい。
【００４３】
これに対し、本実施の形態では、原稿台５２と接触する保護フィルム２５ｄの背面側では、ＦＦＣ２５ａの可動部位と保護フィルム２５ｄとを接着させないようにしている。また、本実施の形態では、保護フィルム２５ｄにおいて力がかかる方向の下流側となる他端側（第２コネクタ２５ｃ側）を、ＦＦＣ２５ａの可動部位とともに、読み取りユニット２２のユニット本体４１に設けられた固定部４１ｂに固定している。このため、原稿台５２から保護フィルム２５ｄが受けた力が、ＦＦＣ２５ａの可動部位にかかりにくくなる。
【００４４】
なお、読み取りユニット２２が基準位置Ｐ１および終了位置Ｐ２の中央部に到達した後、ＦＦＣ２５ａの可動部位によって押される保護フィルム２５ｄは原稿台５２に接触しなくなる。そして、読み取りユニット２２が終了位置Ｐ２に到達すると、ＦＦＣ２５ａの可動部位および保護フィルム２５ｄが、読み取りユニット２２の下方に回り込んだ状態となる。
【符号の説明】
【００４５】
１…画像読み取り装置、１０…本体部、２０…読み取り部、２１…下部筐体、２１ａ…保持部、２２…読み取りユニット、２３…ガイドシャフト、２４…駆動モータ、２５…ケーブルユニット、２５ａ…フレキシブル・フラット・ケーブル（ＦＦＣ）、２５ｂ…第１コネクタ、２５ｃ…第２コネクタ、２６…インタフェース部、３０…読み取り光学系、３６…受光部、３６ａ…受光素子列、３６ｂ…受光側基板、４１…ユニット本体、４１ａ…切欠部、４１ｂ…固定部、５０…原稿積載部、５１…上部枠体、５２…原稿台、６０…原稿固定部材
【図１】
2012108424.tif 000003
【図２】
2012108424.tif 000004
【図３】
2012108424.tif 000005
【図４】
2012108424.tif 000006
【図５】
2012108424.tif 000007
【図６】
2012108424.tif 000008
【図７】
2012108424.tif 000009
【図８】
2012108424.tif 000010
【図９】
2012108424.tif 000011